(57)【要約】【課題】インベントリ処理の方法として、不揮発メモリをオートローダーに搭載することにより、必要以上のインベントリ処理を省略し、弊害を抑制、低減することのできるオートローダーを提供することである。【解決手段】オートローダーに搭載されている不揮発メモリに、インベントリ処理における磁気テープ情報を記憶することが出来るので、磁気テープマガジンが排出されない限り、この不揮発メモリに記憶されている磁気テープ情報を有効とすることで、弊害を抑制、低減することのできるオートローダーを提供することが可能になる。【選択図】図１
2008287828.tif 000002
【特許請求の範囲】
【請求項１】
磁気テープの先頭部分にテープ管理情報を記録しておき、起動時にこのテープ管理情報を磁気テープより読み出してデータのバックアップ・リストアを実行・管理するデータバックアップシステムにおいて、テープ管理情報を記憶する不揮発メモリ及び磁気テープが排出されたことを記憶する不揮発メモリを設け起動時にテープ排出記録を調べ、テープが排出されたことがなければ、記憶されているテープ管理情報を用いてデータのバックアップ・リストアを実行・管理し、テープが排出されたことがあれば、磁気テープよりテープ管理情報を読み出し、かつ不揮発メモリに記憶させてデータのバックアップ・リストアを実行・管理することを特徴とするデータバックアップシステム。
【請求項２】
請求項１記載のデータバックアップシステムにおいて、磁気テープの実装有無を検出する手段及び電源切断時の磁気テープ強制挿入を防止する手段を設け、不揮発メモリに記憶しているテープ排出記録を補完して電源切断時に磁気テープを強制排出、強制挿入した場合でも、正しくテープ排出を認識できることを特徴とするデータバックアップシステム。
【発明の詳細な説明】
【技術分野】
【０００１】
本発明は、コンピュータシステムのデータバックアップとして使用される磁気テープドライブ、チェンジャー、ライブラリ、オートローダー（以下オートローダーと総称する）に関し、その運用におけるテープ搬送系の障害、ならびに磁気テープ記録におけるエラーレート上昇等の問題を、不揮発メモリを設け、その不揮発メモリに磁気テープの情報を記録することで、問題を改善するデータバックアップシステムに関する。
【背景技術】
【０００２】
近年、情報・通信業界において、データの大容量化が進み、コンピュータシステム装置等の高信頼性の需要が高まっている。コンピュータシステム装置は、障害が発生しないことが最重要であるが、万が一、障害が発生したときは、速やかに現状復帰できることが要求される。その障害の備えとして、大容量のデータを定期的にバックアップしておくことが重要となる。従来からコンピュータシステム装置のデータバックアップとして磁気テープドライブが使用されている。磁気テープ媒体は一般的に単位容量あたりの単価が安く、他の媒体に比べて大容量であることから、コンピュータシステム装置のハードディスクドライブ等の障害に備えて、ハードディスク等のメディアに記録されているデータをバックアップする用途に広く利用されている。
【０００３】
磁気テープ媒体は、カートリッジ内に磁性媒体を塗布した磁気テープが収納されており、供給リールのみを持つタイプと、供給リールおよび巻き取りリールをもつタイプがある。前者は巻き取りリールを内蔵している磁気テープドライブに使用する。磁気テープドライブは、磁気テープ媒体を装填したり、排出したりすることができ、磁気テープ媒体は、いわゆるリムーバブルなメディアである。従って、同じ磁気テープ媒体に記録しているデータを、他の磁気テープドライブで読み出したり、記録したりすることができる。代表的な磁気テープ媒体としては、数百ギガバイト以上の大容量記録を可能とするＬＴＯ(Linear Tape Open)、ＡＩＴ(Advanced Intelligent Tape)、数十ギガバイトの容量記録を可能とするＤＤＳ(Digital Data Storage)などがある。
【０００４】
データのバックアップ方法は、ファイル単位で磁気テープ媒体にバックアップする場合と、複数のファイルが一つとなったボリューム単位で磁気テープ媒体にバックアップする場合がある。大規模なサーバや汎用機では、バックアップするデータの容量が大きいこと、また、業務運用の利便性から、複数の磁気テープ媒体を自動交換するオートローダーを用いて、ボリューム単位、またはシステム全体のフルバックアップを行なうことが一般的である。
【０００５】
複数の磁気テープ媒体が搭載可能なオートローダーは、一般的に図３に示すような、複数の磁気テープ媒体６をセットする磁気テープマガジン５と、１台のドライブ部（テープ認識部）２と、その制御部であるオートローダー制御基板３と、磁気テープの取り出し、搬送を行なう搬送メカ７に大きく構成されている。マガジン挿入口９から磁気テープマガジン５を挿入したあと、複数の磁気テープ媒体６は、搬送メカ７によってドライブ部（テープ認識部）２へ装填される。上位からのコマンドは、インターフェイス４を介して実行され、ドライブ部（テープ認識部）２へ装填された磁気テープ媒体６に、データの書き込み、データの読み取りを行っている。磁気テープ媒体の切り替え、イジェクト操作等は、上位からのコマンドの他に、オートローダー装置本体に搭載されている操作パネル８でも可能である。
【０００６】
【特許文献１】特開２０００−２３５７７４号公報
【特許文献２】特開２００４−２１３８２３号公報
【発明の開示】
【発明が解決しようとする課題】
【０００７】
オートローダーを使用したシステムで、毎日シャットダウン／リブートする運用で使用した場合、図２に示すようにシャットダウン／リブート（バックアップソフト起動）の度に、必ずインベントリ実行コマンドが発行され（ステップS001）、インベントリ処理（バックアップソフトと磁気テープの関連付けで、磁気テープの有無、追加、取出し、移動などをはじめとする種々の情報を管理する処理）を実施（ステップS002）する。このとき磁気テープマガジンに装填されたすべての磁気テープ媒体を磁気テープマガジンから取り出し、ドライブ部で、磁気テープ先頭部の読み出しを行なうために、
１．磁気テープ先頭部が磨り減ることにより、エラーレートが上昇する。
２．ヘッドが磨耗することにより、エラーレート上昇が上昇する。
３．テープ認識部が磨耗することにより、テープ誤認識率が上昇する。
４．磁気テープ搬送などのメカ動作が多発するのでメカ系障害件数が増加する。
などの弊害が発生する。
【０００８】
ARC serve Backupなどの一般的なバックアップソフトには、磁気テープマガジンに装填されているテープの情報をハードディスク等の不揮発メモリに記憶しておき、磁気テープマガジンおよび磁気テープを交換しない限りはシャットダウン／リブート時のインベントリ処理を省略する機能を有している。しかし、バックアップソフトが停止中（オフライン中）にオートローダーのパネル操作で磁気テープマガジン、磁気テープを交換すると、バックアップソフトでは交換された事が認識できないため、誤った磁気テープ情報でデータバックアップを実施・管理することとなる。このため、この機能を有効とした運用は実施できず、シャットダウン／リブートの度にインベントリ処理を行なう必要があり、上記の問題を解消できなかった。
【０００９】
本発明の目的は、オートローダー装置に磁気テープマガジンが排出された事を記憶する不揮発メモリを用いた管理運用方法で、上記弊害を抑制、低減することである。
【課題を解決するための手段】
【００１０】
本発明のデータバックアップシステムは、上記の問題を解決するために以下のような構成にする。
【００１１】
バックアップソフト実行中は、オートローダー本体のパネル操作による磁気テープマガジン排出を抑制し、磁気テープマガジン排出はバックアップソフト管理とする。バックアップソフト停止中は、オートローダー本体のパネル操作による磁気テープマガジン排出を不揮発メモリに記憶させ、バックアップソフト起動時に、この不揮発メモリをチェックしてオンライン中の磁気テープマガジン排出の有無を判定する。
【発明の効果】
【００１２】
以上、説明したように本発明のデータバックアップシステムは、以下に示す効果を得ることが出来る。
【００１３】
バックアップソフトが停止中のテープ排出も含めて、バックアップソフトが正しく認識できるので、不揮発メモリに記憶したテープ情報を利用して、磁気テープマガジンが排出されていない場合は、バックアップソフト起動時のインベントリ処理を省略して、弊害を抑制、低減することができる。
【発明を実施するための最良の形態】
【００１４】
以下、図示した実施例に基づいて本発明を詳細に説明する。
【００１５】
磁気テープマガジンが排出されたことを記憶する不揮発メモリ（排出フラグと称する）を、オートローダーに搭載すると共に、次のように管理を行なう。
１．上位からの排出コマンド、またはオートローダー本体のパネル操作によって磁気テープマガジンを排出した場合にセットする。
２．上位からのコマンドによりクリアする。
３．上位からのコマンドにより当磁気テープマガジン排出フラグの内容を上位に報告する。
【００１６】
さらに上位からのコマンドにより、オートローダー本体のパネル操作による磁気テープマガジンの排出を抑制する機能をオートローダー本体に設ける。
以上の管理の上で運用を行なうこととし、図１に従って説明する。
【００１７】
バックアップソフトが起動されたら、オートローダーに搭載した不揮発メモリにアクセスを行なう（ステップS001）。具体的にはバックアップソフトから磁気テープマガジン排出フラグを読み出すコマンドをオートローダーに対して発行し、磁気テープマガジン排出フラグを取得する。次にバックアップソフトがオフライン中に磁気テープ媒体が排出されなかったかチェックを行なう（ステップS002）。磁気テープ媒体が排出されていなければ（排出フラグがNoであれば）、不揮発メモリに記憶しているテープ情報を有効とする（ステップS003）。磁気テープ媒体が排出されていれば（排出フラグがYesであれば）、オートローダーに対してインベントリ実行コマンドを発行し（ステップS004）、磁気テープマガジン内のすべてのスロットにアクセスしてインベントリ処理を行なう（ステップS005）。磁気テープ媒体が挿入されていれば磁気テープ内のテープ情報が取得できるので、これを不揮発メモリに上書き記憶して書き換え、これを有効とする（ステップS006）。以降のバックアップ処理・管理はこのテープ情報をもとにして行なうようにする。
【００１８】
また、バックアップソフト実行中は、オートローダーに対してコマンドを発行し、パネル操作による磁気テープマガジン排出を抑止し、磁気テープマガジン排出操作はバックアップソフトにより一元管理を行なう。そして、磁気テープマガジンが挿入されれば、これをバックアップソフトが認識して、オートローダーに対してコマンドを発行してインベントリ処理を行い、磁気テープマガジン内にセットされているテープ情報を取得して不揮発メモリに記憶し、これを有効とする。オートローダーに対してインベントリ処理を行い、磁気テープマガジン内のテープ情報を取得できれば、オートローダーに対してコマンドを発行して磁気テープマガジン排出フラグをクリアする。バックアップソフトからのコマンドでマガジンを排出する時、バックアップソフトの管理するテープ情報を無効とする。
【００１９】
以上の管理を行なうことで、たとえバックアップソフトが停止中（オフライン中）に、オートローダーのパネル操作で磁気テープマガジン、磁気テープが交換されても、バックアップソフトが正しくこれを認識できるので、常に正しいテープ情報でデータバックアップを実施・管理することができるようになる。これにより、磁気テープマガジンに挿入されているテープの情報を不揮発メモリに記憶しておき、磁気テープマガジンおよび磁気テープを交換しない限りはシャットダウン／リブート時のインベントリ処理を省略する機能を活用して前記問題を解消することが可能となる。
【００２０】
なお、以上ではテープジャム等でマガジンがアンロードできなくなった時の強制排除やオートローダー自体が交換されたような場合を想定していないが、磁気テープマガジン挿入検出のメカニカルスイッチを設け、バックアップソフト起動時にこのスイッチをチェックし、磁気テープマガジンが入っていない場合は記憶しているテープ情報を無効とし、次に磁気テープマガジンを挿入したときにインベントリ処理を行い、テープ情報をセットする。これにあわせて電源ＯＦＦ時には強制的に磁気テープマガジンの挿入ができない構造にする。例えば磁気テープマガジンの挿入排出機構の一部に逆転防止ラチェットを設け、電源ＯＦＦ状態では逆転できずに強制的に挿入できなくする。電源ＯＮ時には電磁マグネットなどでこの逆転防止を解除し、マガジン挿入可能とする。このような手段を設けることで強制的な磁気テープマガジン排出やドライブ交換に対しても正しくバックアップソフトがこれを認識できるので、バックアップソフトの有するシャットダウン／リブート時のインベントリ処理を省略する機能を活用して前記問題を解消することが可能となる。
【産業上の利用可能性】
【００２１】
本発明は起動時におけるインベントリ処理を、オートローダーに搭載した不揮発メモリに記憶させることで、磁気テープマガジンが排出されない限り、次回以降のインベントリ処理を、この不揮発メモリから磁気テープ情報を読み取ることで代用し、必要以上のインベントリ処理を省略することで、弊害を抑制、低減することのできるオートローダーを製造することが可能である。
【図面の簡単な説明】
【００２２】
【図１】本発明のデータバックアップシステムにおける、インベントリ処理のフローチャート図である。
【図２】従来のデータバックアップシステムにおける、インベントリ処理のフローチャート図である。
【図３】オートローダーの構成図である。
【符号の説明】
【００２３】
１…オートローダー、２…ドライブ部（テープ認識部）、３…オートローダー制御基板、４…インターフェイス、５…磁気テープマガジン、６…磁気テープ媒体、７…搬送メカ、８…操作パネル、９…マガジン挿入口、１０…不揮発メモリ、１１…挿入検出メカニカルスイッチ、１２…逆転防止ラチェット。
【図１】
2008287828.tif 000003
【図２】
2008287828.tif 000004
【図３】
2008287828.tif 000005